【手続補正書】
【提出日】令和2年4月6日(2020.4.6)
【手続補正１】
【補正対象書類名】特許請求の範囲
【補正対象項目名】全文
【補正方法】変更
【補正の内容】
【特許請求の範囲】
【請求項１】
（Ａ）式（１）：
【化１４】
2019014800.tif 000001
（式中、
Ｒ１は、独立して、Ｃ２−Ｃ６アルケニル基であり、
Ｒ２は、独立して、Ｃ１−Ｃ６アルキル基であり、
Ｒ３は、独立して、Ｃ６−Ｃ２０アリール基であり、
Ｒ４は、独立して、Ｃ６−Ｃ２０アリール基又はＣ１−Ｃ６アルキル基であり、
ｎ１は、２〜１５００であり、
ｎ２は、０〜１０００である）で示される、直鎖状ポリオルガノシロキサン；
（Ｂ１）式（２）：
【化１５】
2019014800.tif 000002
（式中、
Ｒ５は、独立して、Ｃ１−Ｃ６アルキル基であり、
Ｒ６は、独立して、Ｃ６−Ｃ２０アリール基であり、
Ｒ７は、独立して、Ｃ６−Ｃ２０アリール基又はＣ１−Ｃ６アルキル基である）で示される直鎖状ポリオルガノハイドロジェンシロキサン；
（Ｂ２）一分子中に、ケイ素原子に結合した水素原子を３個以上有する、ポリオルガノハイドロジェンシロキサン；
並びに
（Ｃ）白金系触媒；
を含み、
（ＨＢ１＋ＨＢ２）／ＶｉＡが０．４〜２．５であり、ここで、ＶｉＡは、（Ａ）のアルケニル基のモル数であり、ＨＢ１は、（Ｂ１）のケイ素原子に結合した水素原子のモル数であり、ＨＢ２は、（Ｂ２）のケイ素原子に結合した水素原子のモル数である、硬化性ポリオルガノシロキサン組成物。
【請求項２】
（Ｂ２）が、ＳｉＯ４／２単位及びＲ８ＳｉＯ３／２単位（式中、Ｒ８は、Ｃ６−Ｃ２０アリール基又はＣ１−Ｃ６アルキル基である）からなる群より選択される１以上の単位と、Ｈ（Ｒ９）２ＳｉＯ１／２単位（式中、Ｒ９は、Ｃ６−Ｃ２０アリール基又はＣ１−Ｃ６アルキル基である）とからなる、ポリオルガノハイドロジェンシロキサンである、請求項１に記載の硬化性ポリオルガノシロキサン組成物。
【請求項３】
ＨＢ１／（ＨＢ１＋ＨＢ２）が０．１〜０．９８である、請求項１又は２に記載の硬化性ポリオルガノシロキサン組成物。
【請求項４】
画像表示装置の画像表示部を有する基部と透光性の保護部との接着用である、請求項１〜３のいずれか１項記載の硬化性ポリオルガノシロキサン組成物。
【請求項５】
請求項１〜４のいずれか１項記載の硬化性ポリオルガノシロキサン組成物を用いて、画像表示装置の画像表示部を有する基部と透光性の保護部とを接着した画像表示装置。
【手続補正２】
【補正対象書類名】明細書
【補正対象項目名】０００８
【補正方法】変更
【補正の内容】
【０００８】
本発明は、以下の構成を有する。
［１］（Ａ）式（１）：
【化１】
2019014800.tif 000003
（式中、
Ｒ１は、独立して、Ｃ２−Ｃ６アルケニル基であり、
Ｒ２は、独立して、Ｃ１−Ｃ６アルキル基であり、
Ｒ３は、独立して、Ｃ６−Ｃ２０アリール基であり、
Ｒ４は、独立して、Ｃ６−Ｃ２０アリール基又はＣ１−Ｃ６アルキル基であり、
ｎ１は、２〜１５００であり、
ｎ２は、０〜１０００である）で示される、直鎖状ポリオルガノシロキサン；
（Ｂ１）式（２）：
【化２】
2019014800.tif 000004
（式中、
Ｒ５は、独立して、Ｃ１−Ｃ６アルキル基であり、
Ｒ６は、独立して、Ｃ６−Ｃ２０アリール基であり、
Ｒ７は、独立して、Ｃ６−Ｃ２０アリール基又はＣ１−Ｃ６アルキル基である）で示される直鎖状ポリオルガノハイドロジェンシロキサン；
（Ｂ２）一分子中に、ケイ素原子に結合した水素原子を３個以上有する、ポリオルガノハイドロジェンシロキサン；
並びに
（Ｃ）白金系触媒；
を含み、
（ＨＢ１＋ＨＢ２）／ＶｉＡが０．４〜２．５であり、ここで、ＶｉＡは、（Ａ）のアルケニル基のモル数であり、ＨＢ１は、（Ｂ１）の水素原子のモル数であり、ＨＢ２は、（Ｂ２）の水素原子のモル数である、硬化性ポリオルガノシロキサン組成物。
［２］（Ｂ２）が、ＳｉＯ４／２単位及びＲ８ＳｉＯ３／２単位（式中、Ｒ８は、Ｃ６−Ｃ２０アリール基又はＣ１−Ｃ６アルキル基である）からなる群より選択される１以上の単位と、Ｈ（Ｒ９）２ＳｉＯ１／２単位（式中、Ｒ９は、Ｃ６−Ｃ２０アリール基又はＣ１−Ｃ６アルキル基である）とからなる、ポリオルガノハイドロジェンシロキサンである、［１］の硬化性ポリオルガノシロキサン組成物。
［３］ＨＢ１／（ＨＢ１＋ＨＢ２）が０．１〜０．９８である、［１］又は［２］の硬化性ポリオルガノシロキサン組成物。
［４］画像表示装置の画像表示部を有する基部と透光性の保護部との接着用である、［１］〜［３］のいずれかの硬化性ポリオルガノシロキサン組成物。
［５］［１］〜［４］のいずれかの硬化性ポリオルガノシロキサン組成物を用いて、画像表示装置の画像表示部を有する基部と透光性の保護部とを接着した画像表示装置。
【手続補正３】
【補正対象書類名】明細書
【補正対象項目名】００１４
【補正方法】変更
【補正の内容】
【００１４】
［硬化性ポリオルガノシロキサン組成物］
硬化性ポリオルガノシロキサン組成物（以下、単に「組成物」ともいう。）は、（Ａ）前記式（１）で示される直鎖状ポリオルガノシロキサン；（Ｂ１）前記式（２）で示される直鎖状ポリオルガノハイドロジェンシロキサン；（Ｂ２）一分子中に、ケイ素原子に結合した水素原子を３個以上有する、ポリオルガノハイドロジェンシロキサン；並びに（Ｃ）白金系触媒；を含み、（ＨＢ１＋ＨＢ２）／ＶｉＡが０．４〜２．５であり、ここで、ＶｉＡは、（Ａ）のアルケニル基のモル数であり、ＨＢ１は、（Ｂ１）のケイ素原子に結合した水素原子のモル数であり、ＨＢ２は、（Ｂ２）のケイ素原子に結合した水素原子のモル数である。
【手続補正４】
【補正対象書類名】明細書
【補正対象項目名】００３９
【補正方法】変更
【補正の内容】
【００３９】
組成物は、アルケニル基含有ポリオルガノシロキサンが（Ａ）のみからなることが好ましく、この場合、組成物は、（Ａ）以外のアルケニル基含有ポリオルガノシロキサンを含まない。また、組成物は、ポリオルガノハイドロジェンシロキサンが（Ｂ１）及び（Ｂ２）のみからなることが好ましく、この場合、組成物は、（Ｂ１）及び（Ｂ２）以外のポリオルガノハイドロジェンシロキサンを含まない。
【手続補正５】
【補正対象書類名】明細書
【補正対象項目名】００４６
【補正方法】変更
【補正の内容】
【００４６】
Ａ１：下記の混合物。この混合物中、Ａ１−１が８７重量％であり、Ｄ１が１３重量％である。
Ａ１−１：下式で示される直鎖状ポリオルガノシロキサン（ＭＶＤ８３ＤＰｈ２３４ＭＶ）
【化９】
2019014800.tif 000005
Ｄ１：下式で示される直鎖状ポリオルガノシロキサン（ＭＤ１．５ＤＰｈ２１．５Ｍ）
【化１０】
2019014800.tif 000006
Ｂ１−１：式（ｂ１−１）で示される直鎖状ポリオルガノハイドロジェンシロキサン
【化１１】
2019014800.tif 000007
Ｂ１−２：式（ｂ１−２）で示される直鎖状ポリオルガノハイドロジェンシロキサン
【化１２】
2019014800.tif 000008
Ｂ２−１：平均単位式がＭＨ８Ｑ４で示されるポリオルガノハイドロジェンシロキサン（有効水素量１重量％）
Ｂ２−２：平均単位式がＭＨ６ＴＰｈ４で示されるポリオルガノハイドロジェンシロキサン（有効水素量０．６５重量％）
Ｂ３：式（ｂ３）で示される直鎖状ポリメチルハイドロジェンシロキサン
【化１３】
2019014800.tif 000009
Ｃ１：塩化白金酸を１，３−ジビニル−１，１，３，３−テトラメチルジシロキサンとモル比１：４で加熱することによって得られ、白金含有量が４．９重量％である錯体